(57)【要約】      （修正有）【課題】炎天下でエアコン室外機の温度が上昇することに起因する問題を解決するエアコン室外機の遮熱装置を提供する。【解決手段】遮熱装置は、遮熱シート１及び遮熱シート１をエアコン室外機１０に固定的に取り付ける固定機構を備え、遮熱シート１は、保温層１１及び保温層１１を覆う遮熱層１２を備える。保温層１１の底部と接続する布テープ２１を備える。固定装置で遮熱シート１をエアコン室外機１０に取り付ける。【選択図】図１
0003219623.tif 000002
【実用新案登録請求の範囲】
【請求項１】
遮熱シート及び遮熱シートをエアコン室外機に固定的に取り付ける固定機構を備え、
前記遮熱シートは、エアコン室外機と接触する保温層及び保温層を覆う遮熱層を備えることを特徴とするエアコン室外機の遮熱装置。
【請求項２】
前記固定機構は、保温層の底部と接続する布テープを備えることを特徴とする請求項１に記載のエアコン室外機の遮熱装置。
【請求項３】
前記固定機構は、布テープと接続するバックル機構をさらに備えることを特徴とする請求項２に記載のエアコン室外機の遮熱装置。
【請求項４】
前記布テープは、保温層の底部と接続する第１布テープと第２布テープとを備え、
前記バックル機構は、前記第１布テープと接続するプラグと、前記第２布テープと接続しプラグと係合するソケットとを備えることを特徴とする請求項３に記載のエアコン室外機の遮熱装置。
【請求項５】
前記遮熱層は、アルミニウム箔からなることを特徴とする請求項１に記載のエアコン室外機の遮熱装置。
【請求項６】
前記遮熱層は、複数の凸型のアルミニウム箔遮熱ブロックが配列されてなることを特徴とする請求項１に記載のエアコン室外機の遮熱装置。
【請求項７】
前記保温層は、ポリエチレン系発泡材料からなることを特徴とする請求項１に記載のエアコン室外機の遮熱装置。
【考案の詳細な説明】
【技術分野】
【０００１】
本考案は、エアコン室外機の補助装置分野に属し、具体的にエアコン室外機の遮熱装置に関する。
【背景技術】
【０００２】
エアコン室外機は、エアコンの室外装置であり、主に圧縮機、凝縮器及びキャピラリーチューブから構成されている。また、室外機の圧縮機がエアコンの中心部材であり、エアコンにおいて、圧縮機を介して冷媒を高温、高圧の気体に圧縮することによって熱交換が実現される。従って、エアコンを長寿命化するために、エアコン室外機を保護する必要がある。
【０００３】
現在、衝撃等によるエアコン室外機の損傷を避けるためのエアコン室外機筐体、エアコン室外機サポータ等のエアコン室外機の保護装置が市販されている。また、制振、騒音低減、滑り止め及び防塵のためのエアコンの制振シートが市販されている。さらに、悪天候の影響を避けるためのエアコンカバーが市販されている。しかしながら、エアコン室外機が高温環境、特に中国南部のような炎天下で作動する場合、圧縮機、凝縮器が故障しやすく、キャピラリーチューブが劣化しやすく、電気回路及びエアコン室外機筐体が腐食しやすい等の問題がある。このため、エアコン室外機が放熱の影響を受けず外部と遮熱する装置が、エアコン室外機の至急の要求である。
【考案の概要】
【考案が解決しようとする課題】
【０００４】
本考案は、従来技術の上記問題を鑑みてなされたものであり、炎天下でエアコン室外機の温度が上昇することに起因する、圧縮機、凝縮器が故障しやすく、キャピラリーチューブが劣化しやすく、電気回路及びエアコン室外機の筐体が腐食しやすい等の問題を解決したエアコン室外機を提供することを技術課題とする。
【課題を解決するための手段】
【０００５】
上記技術課題を解決するために、本考案のエアコン室外機の遮熱装置は、遮熱シート及び遮熱シートをエアコン室外機に固定的に取り付ける固定機構を備え、遮熱シートがエアコン室外機と接触する保温層及び保温層を覆う遮熱層を備えることを特徴とする。
【０００６】
本考案の好ましい技術案において、固定機構は、保温層の底部と接続する布テープを備える。
【０００７】
本考案の好ましい技術案において、固定機構は、布テープと接続するバックル機構をさらに備える。
【０００８】
本考案の好ましい技術案において、布テープは、保温層の底部と接続する第１布テープと第２布テープとを備え、バックル機構は、第１布テープと接続するプラグと、第２布テープと接続しプラグと係合するソケットとを備える。
【０００９】
本考案の好ましい技術案において、遮熱層は、アルミニウム箔からなる。
【００１０】
本考案の好ましい技術案において、遮熱層は、複数の凸型のアルミニウム箔遮熱ブロックが配列されてなる。
【００１１】
本考案の好ましい技術案において、保温層は、ポリエチレン系発泡材料からなる。
【考案の効果】
【００１２】
本考案は、以下の有益な効果を有する。
【００１３】
固定装置で遮熱シートをエアコン室外機に取り付けることによって、炎天下でエアコン室外機の温度が上昇することに起因する、圧縮機、凝縮器が故障しやすく、キャピラリーチューブが劣化しやすく、電気回路及びエアコン室外機の筐体が腐食しやすい等の問題を解決する効果を奏した。
【図面の簡単な説明】
【００１４】
【図１】本考案に係るエアコン室外機の遮熱装置の構成の斜視模式図である。
【図２】本考案に係るエアコン室外機の遮熱装置の構成の正面模式図である。
【図３】本考案の布テープ及びバックルの模式図である。
【考案を実施するための形態】
【００１５】
図面を参照しながら、本考案の好ましい実施例を詳しく説明する。
【００１６】
図１に示すように、本考案に係るエアコン室外機の遮熱装置は、遮熱シート１及び遮熱シート１をエアコン室外機１０に固定的に取り付ける固定機構２を備える。遮熱シート１は、エアコン室外機１０と接触する保温層１１及び保温層１１を覆う遮熱層１２を備える。固定装置で遮熱シートをエアコン室外機に取り付けることによって、炎天下でエアコン室外機の温度が上昇することに起因する、圧縮機、凝縮器が故障しやすく、キャピラリーチューブが劣化しやすく、電気回路及びエアコン室外機の筐体が腐食しやすい等の問題を解決する目的を達することができる。そのうち、保温層１１は、例えばポリウレタンフォーム、ポリフェニルプレート及びフェノールフォーム等の広く使用される数多くの保温材料で形成することができる。遮熱層１２は、例えば石綿、珪藻土、パーライト、ガラス繊維、ガラス繊維気泡コンクリート及びケイ酸カルシウム等の耐高温性を有する遮熱材料で形成することができる。固定機構２は、例えば布テープ、弾性紐、バックル機構、ボルトとナット、及びネジ等のような、遮熱シート１をエアコン室外機１０に固定するための機構のうちの１つを利用してもよい。
【００１７】
具体的に、固定機構２は、保温層１１の底部と接続する布テープ２１を備える。布テープ２１を用いることによって、遮熱シート１のエアコン室外機１０への固定を簡単及び効率的に実現することができる。好ましくは、固定機構２は、布テープ２１と接続するバックル機構２２を備え、布テープ２１は、首尾の端部が切断され、バックル機構２２を介して接続するように構成される。バックル機構２２を用いることによって、脱着可能な取付を容易に実現することができるので、交換に便利である。好ましくは、布テープ２１が、保温層の底部と接続する第１布テープ２１１と第２布テープ２１２とを備え、バックル機構２２が、第１布テープ２１１と接続するプラグ２２１と、第２布テープ２１２と接続しプラグ２２１と係合するソケット２２２とを備える。この接続方法によって、着脱する際の使い勝手がより良く、より簡単になる。
【００１８】
具体的に、遮熱層１２は、アルミニウム箔からなる。アルミニウム箔膜層は、良好な遮熱及び反射の作用を有するので、常用される反射遮熱材料である。また、アルミニウム箔膜層の上面にホログラフィックフィルムを敷設することができるので、遮熱層１２の反射性能を増加させ、遮熱効果をよりよく発揮することができる。好ましくは、遮熱層は、複数の凸型のアルミニウム箔遮熱ブロックが配列されてなり、複数の凸型のアルミニウム箔遮熱ブロックの配列は、不規則な凸面によって光を多角度に拡散させ、光の集光を低減するので、温度の上昇速度を抑える。好ましくは、保温層１１はポリエチレン系発泡材料からなる。ポリエチレン系発泡材料は、常用の安価の保温材料であるので、良好な保温を実現でき、本考案の製品の競争力を向上させる。
【００１９】
上記の各実施例は、本考案の技術案を説明するためのものに過ぎず、それを限定するものではない。当業者にとって、上記各実施例に記載された技術案を変更し、又はその内の一部の技術的特徴に対して均等置換を行うこともできる。これらの変更又は置換は、いずれも本考案の保護範囲内に属する。
【図１】
0003219623.tif 000003
【図２】
0003219623.tif 000004
【図３】
0003219623.tif 000005